(57)【要約】【課題】  紙付箋が添付された電子文書から該紙付箋を識別し、オリジナルの原稿の画像を維持しつつ、紙付箋の画像を加工することができる文書管理支援装置を提供する。【解決手段】  制御部２１は、画像データを受け取ると、その画像データに含まれるＲＧＢ値と不揮発性記憶部２５ｂに格納されているＲＧＢ値テーブルの値とを比較し、付箋領域を抽出する。そして抽出した付箋領域のＲＧＢ値、位置、および大きさ等をデータとして記憶する。さらに、付箋領域内にテキストデータがあれば、そのテキストデータも付箋情報に含めて記憶する。そして、付箋情報を元に生成した付箋画像データを含む画像データの画像を表示する。ユーザによって付箋画像が選択されると、選択された付箋画像を矩形表示すると共に、付箋描画画像を新たに生成し、生成した付箋描画画像をドラッグドロップ操作によって指定された箇所に表示する。【選択図】      図２
2007004621.tif 000002
【特許請求の範囲】
【請求項１】
用紙の画像を読み取って、画像データを生成する入力手段と、
紙付箋の画像の特徴を記憶する特徴記憶手段と、
前記入力手段により生成された画像データから、前記特徴記憶手段に記憶されている紙付箋の特徴を元に、前記用紙に添付された紙付箋の輪郭を示す付箋領域を抽出する付箋領域抽出手段と、
前記付箋領域抽出手段により抽出された付箋領域の画像データから該付箋領域の属性を表す第１付箋情報を取得する第１付箋情報取得手段と、
前記付箋領域抽出手段により抽出された付箋領域内の画像データに文字認識処理を施し、付箋領域内の文字列を第２付箋情報として取得する第２付箋情報取得手段と、
前記第１付箋情報取得手段が取得した第１付箋情報と、前記第２付箋情報が取得した第２付箋情報とを関連づけて記憶する付箋情報記憶手段と
を具備することを特徴とする文書管理支援装置。
【請求項２】
前記付箋領域抽出手段は、
エッジ検出処理により矩形領域を特定する矩形領域特定手段と、
前記矩形領域特定手段により特定された前記矩形領域において、前記特徴記憶手段に記憶されている紙付箋の特徴と一致する矩形領域を付箋領域と特定する矩形付箋領域特定手段と
を含むことを特徴とする請求項１記載の文書管理支援装置。
【請求項３】
前記付箋領域抽出手段は、
前記画像データから、注目領域を順次特定する注目領域特定手段と、
前記注目領域特定手段により特定された各注目領域内において、隣り合う２つの文字の間の距離を当該２つの文字列の組毎に求め、求めた各距離のばらつきの程度が所定の範囲を超えるか否かを判断する判断手段と、
前記判断手段による判断結果が、所定の範囲を超えると判断された前記各注目領域において、前記特徴記憶手段に記憶されている紙付箋の特徴と一致する注目領域を付箋領域と特定する注目付箋領域特定手段と
を含むことを特徴とする請求項１記載の文書管理支援装置。
【請求項４】
前記特徴記憶手段に記憶されている紙付箋の画像の特徴は、予め規定された色又は大きさであることを特徴とする請求項１乃至３いずれかに記載の文書管理支援装置。
【請求項５】
前記付箋領域の属性は、前記付箋領域の色、位置および大きさのうち少なくともいずれか１つであることを特徴とする請求項１乃至３いずれかに記載の文書管理支援装置。
【請求項６】
前記付箋領域の属性は、少なくとも位置および大きさを含み、
前記付箋情報記憶手段に記憶されている第１付箋情報のうちの少なくとも位置及び大きさから付箋画像データを生成し、前記入力手段が生成した画像データと共に付箋画像データを表示する表示手段
を具備することを特徴とする請求項１乃至３いずれかに記載の文書管理支援装置。
【請求項７】
操作者によって操作される操作手段と、
前記操作手段の操作内容に基づいて前記付箋画像データの表示態様を指定する指定手段と、
前記指定手段によって指定された制御内容が前記付箋画像データの移動である場合、前記指定手段によって選択された前記付箋画像データを移動して前記表示手段に表示することを制御する付箋描画制御手段と
を具備することを特徴とする請求項１乃至６いずれかに記載の文書管理支援装置。
【請求項８】
用紙の画像を読み取って画像データを生成する第１のステップと、
前記第１のステップにより生成された画像データから、予め記憶された紙付箋の画像の特徴を元に、前記用紙に添付された紙付箋の輪郭を示す付箋領域を抽出する第２のステップと、
前記第２のステップにより抽出された付箋領域の画像データから該付箋領域の属性を表す第１付箋情報を取得する第３のステップと、
第３のステップにより抽出された付箋領域内の画像データに文字認識処理を施し、付箋領域内の文字列を第２付箋情報として取得する第４のステップと、
第３のステップにより取得した第１付箋情報と、第４のステップにより取得した第２付箋情報とを関連づけて記憶する第５のステップと
を具備することを特徴とする文書管理支援方法。
【請求項９】
コンピュータを、
用紙の画像を読み取って画像データを生成する入力手段と、
紙付箋の画像の特徴を記憶する特徴記憶手段と、
前記入力手段により生成された画像データから、前記特徴記憶手段に記憶されている紙付箋の特徴を元に、前記用紙に添付された紙付箋の輪郭を示す付箋領域を抽出する付箋領域抽出手段と、
前記付箋領域抽出手段により抽出された付箋領域の画像データから該付箋領域の属性を表す第１付箋情報を取得する第１付箋情報取得手段と、
前記付箋領域抽出手段により抽出された付箋領域内の画像データに文字認識処理を施し、付箋領域内の文字列を第２付箋情報として取得する第２付箋情報取得手段と、
前記第１付箋情報取得手段が取得した第１付箋情報と、前記第２付箋情報が取得した第２付箋情報とを関連づけて記憶する付箋情報記憶手段と
して機能させることを特徴とするプログラム。
【発明の詳細な説明】
【技術分野】
【０００１】
本発明は、文書を電子化および加工する技術に関し、特に紙付箋が貼り付けられた文書を電子化および加工する技術に関する。
【背景技術】
【０００２】
文書内の注釈や、注意を促すための文章などを電子的に読み取って、処理や加工ができるとデータの再利用時、例えばファイリングや文書の検索に便利である。
特許文献１には、読み取った原稿からタイトルを抽出して、抽出したタイトルを付箋として印刷する技術が開示されている。
【特許文献１】特開２０００−２６１６５１号公報
【発明の開示】
【発明が解決しようとする課題】
【０００３】
一方、注釈や、注意を促すために紙付箋を貼り付けた原稿が多くある。このような原稿は、一旦電子的に読み込みを行うと、紙付箋が貼られた状態の一枚の画像として読み込まれてしまうため、後から紙付箋を移動させたり、色を変えたりするような処理を行うことができなくなってしまう。上述の特許文献１の技術においては、タイトルを元に付箋として印刷することはできるが、付箋の処理や加工はできなかった。そこで、紙付箋が貼られている原稿を読み取った跡に、付箋部分に対して単独に且つ簡単に加工処理ができる装置の開発が望まれていた。
【０００４】
本発明はこのような事情に鑑みてなされたものであり、その目的は、付箋が添付された電子文書から付箋の外形を識別し、オリジナル原稿の画像を維持しつつ、付箋を加工することができる文書管理支援装置を提供することにある。
【課題を解決するための手段】
【０００５】
上記課題を解決するために、本発明は、用紙の画像を読み取って、画像データを生成する入力手段と、紙付箋の画像の特徴を記憶する特徴記憶手段と、前記入力手段により生成されたされた画像データから、前記特徴記憶手段に記憶されている紙付箋の特徴を元に、前記用紙に添付された紙付箋の輪郭を示す付箋領域を抽出する付箋領域抽出手段と、前記付箋領域抽出手段により抽出された付箋領域の画像データから該付箋領域の属性を表す第１付箋情報を取得する第１付箋情報取得手段と、前記付箋領域抽出手段により抽出された付箋領域内の画像データに文字認識処理を施し、付箋領域内の文字列を第２付箋情報として取得する第２付箋情報取得手段と、前記第１付箋情報取得手段が取得した第１付箋情報と、前記第２付箋情報が取得した第２付箋情報とを関連づけて記憶する付箋情報記憶手段とを具備する文書管理支援装置を提供する。
【０００６】
この文書管理支援装置によれば、予め紙付箋の特徴が記憶されているので、その記憶されている特徴を元に、文字や絵などが記載された文書を表す画像データから、紙付箋の領域（付箋領域）を抽出することができる。さらに、抽出した付箋領域の属性が記憶されると共に、抽出した付箋領域に文字認識処理を施すことによって生成したテキストデータも記憶される。これらの情報、つまり、付箋領域の属性及びテキストデータは関連づけて記憶されるため、文書に添付された付箋が複数であっても、それぞれの付箋領域における付箋情報の関連性を維持できる。
【０００７】
本発明の好ましい態様においては、前記付箋領域抽出手段は、エッジ検出処理により矩形領域を特定する矩形領域特定手段と、前記矩形領域特定手段により特定された前記矩形領域において、前記特徴記憶手段に記憶されている紙付箋の特徴と一致する矩形領域を付箋領域と特定する矩形付箋領域特定手段とを含むようにしてもよい。
【０００８】
また、別の好ましい態様においては、前記付箋領域抽出手段は、前記画像データから、注目領域を順次特定する注目領域特定手段と、前記注目領域特定手段により特定された各注目領域内において、隣り合う２つの文字の間の距離を当該２つの文字列の組毎に求め、求めた各距離のばらつきの程度が所定の範囲を超えるか否かを判断する判断手段と、前記判断手段による判断結果が、所定の範囲を超えると判断された前記各注目領域において、前記特徴記憶手段に記憶されている紙付箋の特徴と一致する注目領域を付箋領域と特定する注目付箋領域特定手段とを含むようにしてもよい。
【０００９】
また、前記特徴記憶手段に記憶されている紙付箋の画像の特徴は、予め規定された色又は大きさであるとしてもよい。紙付箋の特徴は、色又は大きさによって表すことができるため、これらの情報を元にすることで、画像データから紙付箋の領域を抽出することができる。また、前記付箋領域の属性は前記付箋領域の色、位置及び大きさのうち少なくともいずれか１つであるとしてもよい。付箋領域の画像データは、色、位置及び大きさによって特定することができるため、これらを第１付箋情報とすることにより、この第１付箋情報を元に画像データから付箋領域を特定することができる。
【００１０】
また、前記付箋領域の属性は、少なくとも位置および大きさを含み、前記付箋情報記憶手段に記憶されている第１付箋情報のうちの少なくとも位置及び大きさから付箋画像データを生成し、前記入力手段が生成した画像データと共に付箋画像データを表示する表示手段を具備するようにしてもよい。
【００１１】
さらに、操作者によって操作される操作手段と、前記操作手段の操作内容に基づいて前記付箋画像データの表示態様を指定する指定手段と、前記指定手段によって指定された制御内容が前記付箋画像データの移動である場合、前記指定手段によって選択された前記付箋画像データを移動して前記表示手段に表示することを制御する付箋描画制御手段とを具備するようにしてもよい。
【００１２】
また、本発明は、用紙の画像を読み取って画像データを生成する第１のステップと、前記第１のステップにより生成された画像データから、予め記憶された紙付箋の画像の特徴を元に、前記用紙に添付された紙付箋の輪郭を示す付箋領域を抽出する第２のステップと、前記第２のステップにより抽出された付箋領域の画像データから該付箋領域の属性を表す第１付箋情報を取得する第３のステップと、第３のステップにより抽出された付箋領域内の画像データに文字認識処理を施し、付箋領域内の文字列を第２付箋情報として取得する第４のステップと、第３のステップにより取得した第１付箋情報と、第４のステップにより取得した第２付箋情報とを関連づけて記憶する第５のステップとを具備する文書管理支援方法を提供する。
【００１３】
また、本発明は、コンピュータを、用紙の画像を読み取って画像データを生成する入力手段と、紙付箋の画像の特徴を記憶する特徴記憶手段と、前記入力手段により生成された画像データから、前記特徴記憶手段に記憶されている紙付箋の特徴を元に、前記用紙に添付された紙付箋の輪郭を示す付箋領域を抽出する付箋領域抽出手段と、前記付箋領域抽出手段により抽出された付箋領域の画像データから該付箋領域の属性を表す第１付箋情報を取得する第１付箋情報取得手段と、前記付箋領域抽出手段により抽出された付箋領域内の画像データに文字認識処理を施し、付箋領域内の文字列を第２付箋情報として取得する第２付箋情報取得手段と、前記第１付箋情報取得手段が取得した第１付箋情報と、前記第２付箋情報が取得した第２付箋情報とを関連づけて記憶する付箋情報記憶手段として機能させるプログラムを提供する。
【発明を実施するための最良の形態】
【００１４】
以下、本発明の実施形態について図面を用いて詳細に説明する。なお、以下の説明においては、矩形の付箋が原稿の上下の辺に対してほぼ平行に添付されている原稿を処理の対象とする。
図１は、本発明に係る文書管理支援装置の１実施形態である文書管理支援システム１の構成例を示すブロック図である。図１の画像読取装置１０は、自動給紙機能であるＡＤＦ（Auto Document Feeder）を備えており、ユーザはＡＤＦを利用することにより複数枚の原稿を一枚ずつ自動的に、原稿読み取り位置まで搬送させてスキャンを行うことができる。このとき、画像読取装置１０は、原稿に対応した大きさでスキャンを行う。
また、画像読取装置１０はフラッドベッドスキャナ（ＦＢＳ）と呼ばれる機能を備えており、このＦＢＳ機能により、ユーザは原稿読み取り位置にセットした原稿をどの大きさでスキャンするかの指定を行うことができる。そして、画像読取装置１０は指定された大きさで、セットされた原稿をスキャンする。すなわち、ユーザは、紙付箋が原稿からはみ出して貼付された原稿を読み取る場合であっても、紙付箋を含めた大きさで原稿を読み取る指示を行うことができる。
画像読取装置１０は、ＡＤＦ、又はＦＢＳによって光学的に読み取った紙文書の画像に対応する画像データを通信線１２を介して文書管理支援装置２０に転送する。通信線１２はＬＡＮ（Local Area Network）、ＷＡＮ（Wide Area Network）、インターネットなどを用いることができるが、本実施形態においては、通信線１２としてＬＡＮを用いている。
【００１５】
図２は、文書管理支援装置２０のハードウェア構成を示すブロック図である。
制御部２１は、例えばＣＰＵ（Central Processing Unit）であり、記憶部２５に格納されている各種ソフトウェアを実行することによって、文書管理支援装置２０の各部を制御する。通信ＩＦ（Inter  Face）部２２は通信線１２を介して画像読取装置１０に接続されており、この通信線１２を介して画像読取装置１０から送信される画像データを受け取り、制御部２１に転送する。
【００１６】
表示部２３は、例えば液晶ディスプレイとその駆動回路であり、制御部２１から転送されたデータに応じた画像を表示する。操作部２４は、例えば、複数の操作子（図示省略）を備えたキーボードおよびマウス等であり、それら操作子の操作内容に応じたデータ（以下、操作内容データ）を制御部２１へ供給する。
【００１７】
記憶部２５は、揮発性記憶部２５ａ、不揮発性記憶部２５ｂを含んでいる。揮発性記憶部２５ａは、例えばＲＡＭ（Random Access Memory）であり、制御部２１のワークエリアとして利用される。不揮発性記憶部２５ｂは、例えばハードディスクである。不揮発性記憶部２５ｂには図３に示したＲＧＢ値テーブルＴ１が格納されている。ＲＧＢ値テーブルＴ１は紙付箋の色値をＲ（レッド）Ｇ（グリーン）Ｂ（ブルー）各色３バイト（２４ビット）で表したテーブルである。また、不揮発性記憶部２５ｂには、制御部２１にＯＳ（Operating System）を実行させるためのＯＳソフトウェア、画像読取装置１０から送信される画像データを解析して紙付箋の輪郭で囲まれた部分（以下、付箋領域という）の抽出等を実行させるための解析処理プログラムが格納されている。加えて、不揮発性記憶部２５ｂには、付箋領域の色や位置を表す情報（以下、付箋情報という）を記憶した付箋情報テーブルＴ２が格納される。
以上説明した要素はバス２６によって接続されている。
【００１８】
以下、制御部２１が図４に示した紙付箋３１、３２（ここでは黄色の紙付箋を想定する）および紙付箋３３（ここではライム色の紙付箋を想定する）が添付された原稿３０に対して、画像データの解析処理を行う場合を図４乃至図７を用いて説明する。
文書管理支援装置２０の電源（図示略）が投入されると、制御部２１は、まず、ＯＳソフトウェアを不揮発性記憶部２５ｂから読み出す。そしてユーザの指示により上記解析処理プログラムの実行が指示されると、制御部２１は上記解析処理プログラムを不揮発性記憶部２５ｂから読み出す。
次に、制御部２１は、画像読取装置１０からの解析処理対象となる画像データの転送を待ち受ける。
【００１９】
一方、ユーザが画像読取装置１０に原稿３０をセットし、所定の操作を行うと、原稿３０が画像読取装置１０によって読み取られ、その原稿３０に対応する画像データが通信線１２を介して画像読取装置１０から文書管理支援装置２０へ送られる。
【００２０】
制御部２１は、画像読取装置１０から送られた画像データを通信ＩＦ部２２を介して受け取る（ステップＳＡ１０）。このとき受け取った画像データには各画素におけるＲＧＢ値が含まれる。制御部２１は、この画像データの各画素におけるＲＧＢ値と不揮発性記憶部２５ｂに格納されているＲＧＢ値テーブルＴ１の値とを比較し、付箋領域を抽出する（ステップＳＡ１２）。つまり、各画素を横方向、縦方向の各々に走査し、ＲＧＢ値テーブルＴ１のＲＧＢ値が所定数連続して検出された範囲を付箋領域として抽出する。図４に示す例では、紙付箋３１〜３３に対応して付箋領域３１ａ〜３３ａが抽出される。
【００２１】
そして抽出したそれぞれの付箋領域の色、位置及び大きさを検出し、これらを付箋情報として図６に示した付箋情報テーブルＴ２に記憶する（ステップＳＡ１４）。ここで付箋情報テーブルＴ２の「番号」は１つ１つの付箋領域を識別する識別番号であり、「ＲＧＢ値」は各付箋領域の色を示すＲＧＢ値である。「位置」は原稿画像の左上端を原点としたときの基準点（付箋領域の左上頂点）のｘ，ｙ座標であり、「大きさ」は基準点から延びる２つの辺の長さ（短辺、長辺）である。
【００２２】
続いて、制御部２１は画像データにレイアウト解析、ＯＣＲ処理を施し、原稿３０を表す画像データ内の文字列をテキストデータにする（ステップＳＡ１６）。次に、制御部２１は付箋情報テーブルＴ２内の各付箋情報からそれぞれの付箋領域の位置及び大きさを読み出し、読み出した位置及び大きさが示す範囲と、ステップＳＡ１６において生成したテキストデータの範囲とを比較し、各付箋領域内にあるテキストデータを抽出して、対応する付箋情報テーブルＴ２の「テキストデータ」フィールドに格納する（ステップＳＡ１８）。図６に示す例においては、「番号」フィールドの「１」、「３」に対応する付箋領域から文字（手書き文字）が抽出され、それらの付箋領域に対応する「テキストデータ」のフィールドには、それぞれ抽出された文字である「特になし」、「復元について調査必要」のテキストデータがそれぞれ格納されている。また、「番号」フィールドの「２」に対応する付箋領域からは文字が抽出されないため、この付箋領域に対応する「テキストデータ」のフィールドにテキストデータは何も格納されていない。
【００２３】
以上のような動作を行った後、制御部２１は原稿３０を表す画像を表示部２３に表示する（ステップＳＡ２０）。このとき、制御部２１は、付箋情報テーブルＴ２に格納してある付箋情報を読み出し、読み出した付箋情報を元に付箋画像３１ｂ乃至３３ｂを生成して表示する。図７は制御部２１が表示部２３に表示する画像を示した図である。図に示したように制御部２１は、文書３０の原稿の画像と同一の画像を表示部２３に表示する。
【００２４】
次に、ユーザによる操作に応じて、表示部２３に表示している付箋画像３１ｂ乃至３３ｂ（図７参照）を編集する場合について図８および図９を用いて説明する。
まず、例えば操作部２４のマウス等によって、付箋画像３１ｂ乃至３３ｂのいずれかが選択されると（ステップＳＢ１０）、制御部２１は選択された付箋画像の輪郭を点線で表示する（ステップＳＢ１２）。以下の説明においては、付箋画像３１ｂがユーザによって選択された場合について説明する。すなわち、制御部２１は、マウス等によって操作されるポインタが、付箋画像３１ｂの領域に位置し、この状態でマウスボタンがクリックされたことを検出すると、付箋画像３１ｂの輪郭を点線表示する。そして、ポインタが移動され、移動後の位置で再びマウスボタンがクリックされると、制御部２１は、付箋情報テーブルＴ２の付箋画像３１ｂに対応する付箋情報のＲＧＢ値、大きさ及びテキストデータを参照して付箋描画画像３１ｃを生成し（ステップＳＢ１４）、このときのポインタの位置を基準位置として、生成した付箋描画画像３１ｃを描画する（ステップＳＢ１６）。
【００２５】
次に、制御部２１は、移動元となった付箋画像３１ｂの内部に、例えば灰色などの薄い色で「ふせん」のテキストデータの文字列を表示する（ステップＳＢ１８）。具体的には、制御部２１は予め記憶されている「ふせん」のテキストデータ及び図３に示したＲＧＢ値テーブルから灰色のＲＧＢ値を読み出し、読み出したこれらの情報を元に生成した文字列を表示する。これにより、ステップＳＢ１２において点線で表示した付箋画像の輪郭内に「ふせん」の文字列が表示される。
【００２６】
以上説明したように、本実施形態においては、予め記憶された紙付箋の特徴を元に画像から付箋領域を抽出し、抽出した付箋領域の色、位置、大きさおよび付箋領域内のテキストデータを関連づけて記憶し、それらの付箋情報を元に生成した付箋画像を表示する。そのため、付箋を含んだ元の原稿と同じ画像を表示することができる。また、記憶した付箋情報を元に、付箋画像の表示態様を変更することができるため、原稿の画像を視認したユーザは画像上において付箋画像の位置の変更などを行うことができる。さらに、付箋画像の位置変更を示す制御が指示された場合、元の付箋画像を矩形表示等によって表示するため、ユーザは付箋画像を移動した後であっても、移動した付箋画像の元の位置を把握することができる。すなわち、原稿のオリジナリティを保ち、且つユーザの指示に応じた画像データの編集を行うことができる。
【００２７】
[変形例]
（１）なお、本実施形態においては、付箋情報テーブルＴ２に格納された付箋情報に基づいて、原稿３０を表示部２３に再現表示する場合を示したが、特定の付箋については、所定の変換を行って表示するようにしてもよい。例えば、付箋領域内にテキストデータがある付箋画像はダークグレイに変換して表示する等である。具体的には、制御部２１は図５に示したフローチャートのステップＳＡ２０において画像を表示する際、付箋情報テーブルＴ２（図６参照）の「テキストデータ」にテキストデータが格納されている付箋画像データについては、該付箋領域に該当する付箋情報から位置及び大きさ、そして図３に示したＲＧＢ値テーブルＴ１からＲＧＢ値（ダークグレイ）を読み出し、これらの付箋情報を元に灰色付箋画像を生成する。そして生成した灰色付箋画像を表示する。このようにすることで、複数の色の紙付箋が添付された原稿であっても、テキストデータがある付箋画像を同一の色で表示するため、紙付箋の表示に一貫性を与えることができる。すなわち、付箋の重要度等、ユーザの情報把握を援助することができる。
【００２８】
（２）また、各付箋画像のＲＧＢ値を所定のＲＧＢ値に変換して生成した付箋画像を表示するようにしても良い。このとき、図１０に示した色変換テーブルＴ３を不揮発性記憶部２５ｂに格納しておく。色変換テーブルＴ３は「元の色」フィールドと「変換後」フィールドによって構成される。制御部２１は付箋画像データのＲＧＢ値に一致する「元の色」フィールドのＲＧＢ値を検索し、そのＲＧＢ値に関連して格納されている「変換後」フィールドのＲＧＢ値を読み出す。そして、読み出したＲＧＢ値を元に生成した付箋画像を表示するようにする。このようにすることで、例えば、紙付箋によってはそのままの色で画像として表示すると薄い（例えば黄色）、濃い（例えば赤）等で見づらい紙付箋が添付されている場合においても、ユーザにとって視認しやすい色で表示することができる。
【００２９】
（３）また、本実施形態においては、制御部２１が、付箋領域の抽出は画像データの各画素におけるＲＧＢ値とＲＧＢ値テーブルＴ１の値とを比較することにより行う場合を示したが、エッジ検出処理（例えばｓｏｂｅｌ処理）によって矩形領域を特定し、特定した矩形領域の大きさとＲＧＢ値とから付箋領域を特定するようにしてもよい。具体的には、不揮発性記憶部２５ｂに紙付箋の大きさを示すサイズテーブルを格納しておく。そして、制御部２１は画像データの各画素の画素値において２次微分を行い、画素内における濃度変化を算出する。続いて、算出した濃度変化が同一である一連の画素において、その一連の画素が矩形を呈している画素群を特定領域とする。そして、特定領域において、その大きさがサイズテーブルに格納されている値と同一であり、特定領域内の画素のＲＧＢ値がＲＧＢ値テーブルＴ１と同一である特定領域を付箋領域として抽出する。
【００３０】
（４）また、黒画素の並びの幅から手書領域を特定し、特定した領域内のＲＧＢ値とＲＧＢ値テーブルＴ１の値とを比較することによって付箋領域を特定するようにしてもよい。具体的には、図１１（ａ）に示した紙付箋４１が添付された原稿４０に対して画像データの解析処理を行う場合、制御部２１は、角画素を横方向に操作する。そして、隣り合う２つの文字の間の距離、即ち、連続する黒画素以外の画素の並びの幅が、所定値Ｘよりも小さかったとき、それらの画素を黒画素に置き換える。この所定値Ｘは、隣りにある文字との距離として想定される値と概ね一致させる。同様に、制御部２１は、各画素を縦方向にも走査し、連続する黒画素以外の画素の並びの幅が所定値Ｙよりも小さかったとき、それらの連続する画素のＲＧＢ値を揮発性記憶部２５ａに記憶すると共に、それらの画素を黒画素に置き換える。このとき、所定値Ｙは、文字行の間隔として想定される値と概ね一致させる。この結果、黒画素で塗り潰された領域が形成される。図１１（ｂ）は、文書４０の画像に上述の置き換え処理を施した状態を示すものである。この図では、黒画素で塗り潰された領域Ｌ１乃至Ｌ３が形成されている。
【００３１】
そして、制御部２１は、処理対象となる注目領域を特定し、特定した領域内において黒画素に置き換えられていた画素を、元の描画内容に復元する。続いて、その領域内の画素を横方向に走査し、連続する黒画素以外の画素において、その画素のピッチのばらつきの程度が所定値よりも小さいか否か判定する。一般に、活字文字が記された領域であれば隣り合う２つの文字の間隔は概ね一定となるため、連続する黒画素以外のピッチのばらつきの程度は所定値よりも小さくなる。一方で、手書文字が記された領域であれば隣り合う文字２つの間隔は一定とならないため、連続する黒画素以外のピッチのばらつきの程度は所定値よりも大きくなる。図１１（ｂ）に示したＬ１乃至Ｌ３の領域についての判定の例では、Ｌ１及びＬ３の領域は活字領域であるとの判定結果が下され、Ｌ２の領域は手書領域であるとの判定結果が下されている。
以上の操作により、抽出した手書領域について、領域内のＲＧＢ値に該当する値がＲＧＢ値テーブルＴ１にあれば、その手書領域を付箋領域とする。
【００３２】
（５）また、本実施形態においては、付箋情報テーブルＴ２からテキストデータも読み出し、付箋画像内に文字列として表示する場合を示した。しかし、最初に画像を表示する際（図５：ステップＳＡ２０）は文字列の表示は行わず、付箋の位置、大きさ及び色のみから生成した付箋画像を表示し、マウス等によって付箋画像がクリックされた場合に該当するテキストデータの文字列を表示するようにしてもよい。具体的には、制御部２１は付箋情報テーブルＴ２から付箋領域の位置、大きさ及びＲＧＢ値を読み出し、読み出した情報を元に付箋画像を生成し、表示部２３に表示する。そして、クリックされた付箋画像に該当する付箋画像データに関連して格納されているテキストデータを付箋情報テーブルＴ２から読み出し、読み出したテキストデータの文字列を付箋画像内に表示する。
【００３３】
（６）なお、本実施形態においては、原稿３０に記載されているのは文（文字）である場合を示したが、記載されているものは文字に限らず、絵、グラフ等であってもよい。
【００３４】
（７）また、本実施形態においては、画像読取装置１０と文書管理支援装置２０とをそれぞれ個別のハードウェアとして構成する場合を示したが、両者を一体のハードウェアで構成するようにしてもよい。このとき、通信線１２は、係るハードウェア内で画像読取装置１０と文書管理支援装置２０とを接続する内部バスとなる。
【００３５】
（８）また、本実施形態においては、不揮発性記憶部２５ｂに予め記憶されたプログラムに基づいて実施する場合を示したが、例えばＣＤ−ＲＯＭ（Compact Disk-Read Only Memory）やＤＶＤ（Digital Versatile Disk）などのコンピュータ装置読取可能な記録媒体に、上記ソフトウェアをインストールするようにしてもよい。
【図面の簡単な説明】
【００３６】
【図１】本発明の実施形態に係るシステムの全体構成を示すブロック図である。
【図２】文書管理支援装置のハードウェア構成を示すブロック図である。
【図３】ＲＧＢ値テーブルのフォーマットを示した図である。
【図４】紙付箋が付された原稿を例示した図である。
【図５】制御部が行う動作を示したフローチャートを示した図である。
【図６】付箋情報テーブルのフォーマットを示した図である。
【図７】表示画像を示した図である。
【図８】制御部が行う動作を示したフローチャートを示した図である。
【図９】付箋領域変更後の原稿を表す画像を示した図である。
【図１０】色変換テーブルのフォーマットを示した図である。
【図１１】紙付箋が付された原稿と、黒画素への置き換えを行った図である。
【符号の説明】
【００３７】
１・・・文書管理支援システム、１０・・・画像読取装置、１２・・・通信線、２０・・・文書管理支援装置、２１・・・制御部、２２・・・通信ＩＦ部、２３・・・表示部、２４・・・操作部、２５・・・記憶部、２５ａ・・・揮発性記憶部、２５ｂ・・・不揮発性記憶部、２６・・・バス、Ｔ１・・・ＲＧＢ値テーブル、Ｔ２・・・付箋情報テーブル、Ｔ３・・・色変換テーブル
【図１】
2007004621.tif 000003
【図２】
2007004621.tif 000004
【図３】
2007004621.tif 000005
【図４】
2007004621.tif 000006
【図５】
2007004621.tif 000007
【図６】
2007004621.tif 000008
【図７】
2007004621.tif 000009
【図８】
2007004621.tif 000010
【図９】
2007004621.tif 000011
【図１０】
2007004621.tif 000012
【図１１】
2007004621.tif 000013